(57)【要約】【課題】個々の設備に専用のリモコン機器を用いることなく屋外設備を操作することができると共に近接でも遠隔でも屋外設備を操作することができるようにする。【解決手段】屋外に設置される設備であるパラソル１０を操作するためのパラソル操作入力画像１ｗを端末手段１がウェブブラウザによって表示部１ｅに表示するステップ（Ｓ５，Ｓ６）と、パラソル操作入力画像１ｗにおける入力操作の内容を端末手段１がサーバ２へと送信するステップ（Ｓ７，Ｓ８）と、入力操作の内容に対応するコントロールファイルをサーバ２が生成して保存するステップ（Ｓ９）と、パラソル１０がサーバ２に保存されているコントロールファイルを確認するステップ（Ｓ０）と、パラソル１０がコントロールファイルの種別に応じて動作するステップ（Ｓ１１，Ｓ１２）とを有するようにした。【選択図】図３
2018153575.tif 000002
【特許請求の範囲】
【請求項１】
屋外に設置される設備を操作するための操作入力画像を端末手段がウェブブラウザによって表示部に表示するステップと、前記操作入力画像における入力操作の内容を前記端末手段がサーバへと送信するステップと、前記入力操作の内容に対応するコントロールファイルを前記サーバが生成して保存するステップと、前記屋外に設置される設備が前記サーバに保存されている前記コントロールファイルを確認すると共に前記コントロールファイルの種別に応じて動作するステップとを有することを特徴とする屋外設備の操作方法。
【請求項２】
前記端末手段が前記屋外に設置される設備に対応づけられている２次元バーコードを読み取ることによって手順が開始されることを特徴とする請求項１記載の屋外設備の操作方法。
【請求項３】
前記サーバがインターネットに接続されていることを特徴とする請求項１記載の屋外設備の操作方法。
【請求項４】
前記屋外に設置される設備がパラソル，オーニング，及び門扉のうちのいずれかであることを特徴とする請求項１記載の屋外設備の操作方法。
【請求項５】
端末手段とサーバとがネットワークを介して接続されると共に前記サーバと屋外に設置される設備とがネットワークを介して接続され、前記端末手段が前記屋外に設置される設備を操作するための操作入力画像をウェブブラウザによって表示部に表示すると共に前記操作入力画像における入力操作の内容を前記サーバへと送信し、前記サーバが前記入力操作の内容に対応するコントロールファイルを生成して保存し、前記屋外に設置される設備が前記サーバに保存されている前記コントロールファイルを確認すると共に前記コントロールファイルの種別に応じて動作することを特徴とする屋外設備の操作システム。
【請求項６】
前記端末手段が前記屋外に設置される設備に対応づけられている２次元バーコードを読み取ることによって処理が開始されることを特徴とする請求項５記載の屋外設備の操作システム。
【請求項７】
前記サーバがインターネットに接続されていることを特徴とする請求項５記載の屋外設備の操作システム。
【請求項８】
前記屋外に設置される設備がパラソル，オーニング，及び門扉のうちのいずれかであることを特徴とする請求項５記載の屋外設備の操作システム。
【発明の詳細な説明】
【技術分野】
【０００１】
本発明は、屋外設備の操作方法及び操作システムに関する。さらに詳述すると、本発明は、屋外に設置される例えばパラソルやオーニングを開閉させるための仕組みに用いて好適な技術に関する。
【背景技術】
【０００２】
屋外に設置される設備として、例えば、シャフトの上端に回動可能に支持された親骨上に天シートが張設されて当該天シートが開いたり閉じたりするように構成されたパラソルがある（特許文献１）。
【先行技術文献】
【特許文献】
【０００３】
【特許文献１】特開２０１１−４５４８２号公報
【発明の概要】
【発明が解決しようとする課題】
【０００４】
しかしながら、特許文献１のパラソルは、天シートを開いたり閉じたりするためには人が直接操作する必要があり、例えばリモートコントロール装置などを利用して間接的に操作を行うことはできず、利便性が高いとは言い難い。
【０００５】
また、屋外に設置された設備に備えられた駆動手段を遠隔操作するためにリモコン送信器とワイヤレス受信器とからなる仕組みが組み込まれている例はあるものの、従来の仕組みでは、駆動手段を操作するためには、各ワイヤレス受信器と組み合わせて用いられるものとしてワイヤレス受信器毎に予め特定されている専用のリモコン送信器を用いなければならず、駆動手段を操作可能な機器の個数を必要に応じて自由に増減させることはできない。このため、屋外設備を操作する者の要望や事情の変化などに柔軟に容易且つ迅速に対応できるとは言えず、したがって汎用性が高いとは言い難い。
【０００６】
従来の仕組みでは、また、駆動手段を操作するためには、リモコン送信器から送信されるワイヤレス信号がワイヤレス受信器によって受信可能な場所まで接近しなければならず、屋外設備と離れた場所から遠隔操作することはできない。このため、利便性が高いとは言えない。
【０００７】
そこで、本発明は、個々の設備に専用のリモコン機器を用いることなく屋外設備を操作することができると共に近接でも遠隔でも屋外設備を操作することができる屋外設備の操作方法及び操作システムを提供することを目的とする。
【課題を解決するための手段】
【０００８】
かかる目的を達成するため、本発明の屋外設備の操作方法は、屋外に設置される設備を操作するための操作入力画像を端末手段がウェブブラウザによって表示部に表示するステップと、操作入力画像における入力操作の内容を端末手段がサーバへと送信するステップと、入力操作の内容に対応するコントロールファイルをサーバが生成して保存するステップと、屋外に設置される設備がサーバに保存されているコントロールファイルを確認すると共にコントロールファイルの種別に応じて動作するステップとを有するようにしている。
【０００９】
また、本発明の屋外設備の操作システムは、端末手段とサーバとがネットワークを介して接続されると共にサーバと屋外に設置される設備とがネットワークを介して接続され、端末手段が屋外に設置される設備を操作するための操作入力画像をウェブブラウザによって表示部に表示すると共に操作入力画像における入力操作の内容をサーバへと送信し、サーバが入力操作の内容に対応するコントロールファイルを生成して保存し、屋外に設置される設備がサーバに保存されているコントロールファイルを確認すると共にコントロールファイルの種別に応じて動作するようにしている。
【００１０】
したがって、これらの屋外設備の操作方法及び操作システムによると、専用のリモコン送信器を用いることなく、屋外に設置される設備が操作される。
【００１１】
また、本発明の屋外設備の操作方法及び操作システムは、端末手段が屋外に設置される設備に対応づけられている２次元バーコードを読み取ることによって手順や処理が開始されるようにしても良い。この場合には、２次元バーコードを読み取るという簡単な操作によって屋外に設置される設備の操作が開始される。
【００１２】
また、本発明の屋外設備の操作方法及び操作システムは、サーバがインターネットに接続されているようにしても良い。この場合には、端末手段と屋外に設置される設備との位置関係（特に、距離）に関係なく、屋外に設置される設備が操作される。
【００１３】
また、本発明の屋外設備の操作方法及び操作システムは、屋外に設置される設備がパラソル，オーニング，及び門扉のうちのいずれかであるようにしても良い。この場合には、パラソル，オーニング，及び門扉の操作において上述の作用が奏される。
【発明の効果】
【００１４】
本発明の屋外設備の操作方法及び操作システムによれば、専用のリモコン送信器を用いることなく、屋外に設置される設備を操作することができるので、屋外設備の操作の機序としての汎用性の向上を図ることが可能になる。
【００１５】
本発明の屋外設備の操作方法及び操作システムは、２次元バーコードを読み取ることによって手順や処理が開始されるようにした場合には、簡単な操作によって屋外に設置される設備の操作を開始することができるので、利便性の向上を図ることが可能になる。
【００１６】
本発明の屋外設備の操作方法及び操作システムは、サーバがインターネットに接続されているようにした場合には、端末手段と屋外に設置される設備との位置関係（特に、距離）に関係なく、屋外に設置される設備を操作することができるので、近接でも遠隔でも操作することができ、利便性の向上を図ることが可能になる。
【００１７】
本発明の屋外設備の操作方法及び操作システムは、屋外に設置される設備がパラソル，オーニング，及び門扉のうちのいずれかであるようにした場合には、これらの設備の操作において上述の作用効果を奏することが可能になる。
【図面の簡単な説明】
【００１８】
【図１Ａ】本発明に係る屋外設備の操作方法の実施形態の一例を示すフローチャートであり、Ｓ１からＳ７まで（Ｓ０を含む）のフローチャートである。
【図１Ｂ】本発明に係る屋外設備の操作方法の実施形態の一例を示すフローチャートであり、Ｓ８からＳ１３まで（Ｓ０を含む）のフローチャートである。
【図２】本発明に係る屋外設備の操作方法が適用された屋外設備の操作システムの実施形態の一例の全体構成を示すブロック図である。
【図３】実施形態の屋外設備の操作システムにおける処理の流れを示すタイミングチャートである。
【図４】端末手段の表示部に表示されるパラソル操作入力画像の一例を示す図である。
【図５】実施形態における屋外設備としてのパラソルを示す図である。（Ａ）は平面図である。（Ｂ）は側面図である。
【発明を実施するための形態】
【００１９】
以下、本発明の構成を図面に示す実施の形態の一例に基づいて詳細に説明する。
【００２０】
図１乃至図５に、本発明に係る屋外設備の操作方法及び操作システムの実施形態の一例を示す。なお、本実施形態では、本発明に係る屋外設備の操作方法が適用された屋外設備の操作システムによって操作される屋外設備として図５に示すパラソルを例に挙げて説明する。
【００２１】
本実施形態のパラソル１０は、屋外に設置されて主に日除けなどに使用される据え置き式の大型パラソルであり、台座１０ａと、当該台座１０ａに下端部が固定されて直立する支柱１０ｂと、当該支柱１０ｂの上端部分に於いて基端部が回動可能に支持される複数の親骨１０ｃ，１０ｃ，…と、支柱１０ｂを中心部に貫通させて当該支柱１０ｂの軸方向に昇降可能に配設されるランナー１０ｄと、一方の端部がランナー１０ｄに回動可能に取り付けられると共に他方の端部が各親骨１０ｃの中間部に回動可能に取り付けられる複数の受骨１０ｅ，１０ｅ，…と、複数の親骨１０ｃ，１０ｃ，…を上から覆うように被せられて親骨１０ｃに取り付けられるシート１０ｆ（言い換えると、傘地，パラソル地）などを有する。
【００２２】
本実施形態のパラソル１０は、端部がランナー１０ｄに取り付けられて当該ランナー１０ｄを昇降移動させるためのワイヤー（図示されていない）が支柱１０ｂの内部に配設されており、開閉機構１２の巻き取り器１２ａによってワイヤーが巻き取られるとランナー１０ｄが上昇し、開閉機構１２の巻き取り器１２ａによってワイヤーが繰り出されるとランナー１０ｄが下降する。そして、ランナー１０ｄが上昇することによって受骨１０ｅを介して親骨１０ｃが押し上げられてシート１０ｆが開いた状態になり、ランナー１０ｄが下降することによって受骨１０ｅを介して親骨１０ｃが引き下げられてシート１０ｆが閉じた状態になる。
【００２３】
本実施形態のパラソル１０は、また、台座１０ａ内に、シート１０ｆを開いたり閉じたりするように動作させる開閉機構１２と、当該開閉機構１２を制御する制御部１１と、ネットワーク９Ｂを介して通信を行う通信部１３とを有する。これら各部１１乃至１３はバス等の信号回線によって接続される。
【００２４】
開閉機構１２は、シート１０ｆを開くためにワイヤーを巻き取るように巻き取り回転をしたりシート１０ｆを閉じるためにワイヤーを繰り出すように繰り出し回転をしたりする巻き取り器１２ａと、当該巻き取り器１２ａが巻き取り回転したり繰り出し回転したりするように当該巻き取り器１２ａを駆動させる電動モータ１２ｂとを有する。
【００２５】
したがって、電動モータ１２ｂの駆動と巻き取り器１２ａの回転動作とシート１０ｆの開閉動作とは連動し、電動モータ１２ｂの駆動が制御されることによってシート１０ｆの開閉動作が制御される。
【００２６】
パラソル１０の支柱１０ｂには、シート１０ｆが開いた状態におけるランナー１０ｄの位置とシート１０ｆが閉じた状態におけるランナー１０ｄの位置とのそれぞれに合わせてリミッタスイッチ（図示されていない）が設けられる。そして、ランナー１０ｄがリミッタスイッチに触れると、電動モータ１２ｂの駆動が停止する。
【００２７】
制御部１１は、例えば不揮発性メモリに格納されている制御プログラムに従うと共に外部機器から出力されて入力される制御信号に基づいて開閉機構１２の各構成要素を制御することによって開閉機構１２の制御を、延いては巻き取り器１２ａの回転動作の制御を行うものであり、例えばＣＰＵ（中央演算処理装置）である。
【００２８】
制御部１１は、通信部１３を介して取得した制御信号に基づいて開閉機構１２（特に巻き取り器１２ａ）を制御することによってシート１０ｆを開く動作や閉じる動作を制御する。
【００２９】
通信部１３は、通信網・通信線へと接続するための通信インターフェースであり、無線通信を行う無線モジュールまたは有線通信を行う有線モジュールを備え、ネットワーク９Ｂへと接続してサーバ２との間でデータ通信を行う。
【００３０】
パラソル１０は、通信部１３を通してサーバ２との間でデータ通信を行い、サーバ２の記憶部２ｂに所定のコントロールファイルが存在しているか否かを確認すると共にコントロールファイルが存在する場合には当該コントロールファイルの内容（言い換えると、種別）に従って開閉機構１２によってシート１０ｆを開いたり閉じたりする。
【００３１】
なお、パラソル１０は、作動するために電力を必要とする各部へと電力を供給する電源（尚、内部電源でも外部電源でも良い）を備えるが、特別の機序ではないので、当該電源に纏わる構成の詳細な説明及び図示は省略する。
【００３２】
そして、本実施形態の屋外設備の操作方法は、屋外に設置される設備であるパラソル１０を操作するためのパラソル操作入力画像１ｗを端末手段１がウェブブラウザによって表示部１ｅに表示するステップ（Ｓ５，Ｓ６）と、パラソル操作入力画像１ｗにおける入力操作の内容を端末手段１がサーバ２へと送信するステップ（Ｓ７，Ｓ８）と、入力操作の内容に対応するコントロールファイルをサーバ２が生成して保存するステップ（Ｓ９）と、パラソル１０がサーバ２に保存されているコントロールファイルを確認するステップ（Ｓ０）と、パラソル１０がコントロールファイルの種別に応じて動作するステップ（Ｓ１０，Ｓ１１，Ｓ１２）とを有するようにしている。
【００３３】
上記屋外設備の操作方法は、屋外設備の操作システムによって実施され得る。本実施形態の屋外設備の操作システムは、端末手段１とサーバ２とがネットワーク９Ａを介して接続されると共にサーバ２と屋外に設置される設備であるパラソル１０とがネットワーク９Ｂを介して接続され、端末手段１がパラソル１０を操作するためのパラソル操作入力画像１ｗをウェブブラウザによって表示部１ｅに表示すると共にパラソル操作入力画像１ｗにおける入力操作の内容をサーバ２へと送信し、サーバ２が入力操作の内容に対応するコントロールファイルを生成して保存し、パラソル１０がサーバ２に保存されているコントロールファイルを確認すると共にコントロールファイルの種別に応じて動作するようにしている。
【００３４】
ネットワーク９Ａ，９Ｂは、端末手段１とサーバ２との間やサーバ２とパラソル１０との間における信号の送受信に使用される通信網や通信線のことであり、有線通信，無線通信，及び有線通信と無線通信とが組み合わされた通信などあらゆる態様のものを含み、信号伝送の方式等は特定の仕組みに限定されるものではなく、また、信号伝送に用いられる機器等も特定の機序に限定されるものではない。
【００３５】
本発明で利用されるネットワーク９Ａ，９Ｂとして、具体的に、少なくとも一部として、種々の通信事業者やプロバイダーなどによって提供されるインターネット回線や電話通信網回線が含まれるようにしても良く、また、屋外設備の操作システム専用の回線が含まれるようにしても良い。なお、図２におけるネットワーク９Ａとネットワーク９Ｂとは、同一系統のネットワーク（言い換えると、相互に接続されているネットワーク）であっても良く、或いは、異なる系統のネットワーク（言い換えると、相互に接続されていないネットワーク）であっても良い。
【００３６】
本発明におけるネットワーク９Ａ，９Ｂの構成としては、具体的には例えば、あくまで一例としては、サーバ２がインターネットに接続され、端末手段１が無線通信（例えば、Ｗｉ−Ｆｉや携帯電話回線）を介してインターネットへと接続してサーバ２との間でデータ通信を行い、また、パラソル１０も無線通信（例えば、Ｗｉ−Ｆｉや携帯電話回線）を介してインターネットへと接続してサーバ２との間でデータ通信を行うようにすることが考えられる。
【００３７】
そして、端末手段１とパラソル１０との間にサーバ２を介在させて（言い換えると、経由点として）ネットワーク９Ａ，９Ｂを利用して通信を行う経路が構築される。
【００３８】
端末手段１は、屋外設備を操作しよう（言い換えると、動作させよう）とする者（「操作者」と呼ぶ）によって操作されて前記屋外設備を操作する（言い換えると、動作させる）ための操作スイッチとして用いられる機器の総称である。
【００３９】
本発明における端末手段１は、特定の機器に限定されるものではなく、移動型・携帯型の（言い換えると、持ち運び可能な）機器や固定型の機器などの種々の態様のものを含む。端末手段１としては、具体的には例えば、あくまで一例としては、携帯電話，スマートフォン，タブレットＰＣ，及び種々の携帯情報端末等の携帯型の端末や、パーソナルコンピュータ等の据置型の端末などが挙げられる。
【００４０】
端末手段１は、制御部１ａ，記憶部１ｂ，通信部１ｃ，入力部１ｄ，及び表示部１ｅなどを有する。これら各部１ａ乃至１ｅはバス等の信号回線によって接続される。
【００４１】
端末手段１の制御部１ａは、記憶部１ｂに格納されているプログラムに従って端末手段１の各構成要素を制御することによって端末手段１全体の制御を行うものであり、例えばＣＰＵ（中央演算処理装置）である。
【００４２】
端末手段１の記憶部１ｂは、具体的には例えば不揮発性メモリによって構成され、プログラムや種々のデータなどを格納して保存する。
【００４３】
記憶部１ｂには、表示部１ｅにウェブページを表示させるためのウェブブラウザのプログラム（言い換えると、ソフトウェア）が格納される。なお、このプログラムは、ウェブページを表示するための汎用的なプログラム／ソフトウェアで良く、本発明に係る屋外設備の操作システムのための専用のプログラムである必要は無い。
【００４４】
端末手段１の通信部１ｃは、通信網・通信線へと接続するための通信インターフェースであり、無線通信を行う無線モジュールまたは有線通信を行う有線モジュールを備え、ネットワーク９Ａへと接続してサーバ２との間でデータ通信を行う。
【００４５】
端末手段１の入力部１ｄは、操作者の命令に関する操作による入力を受け付けるインターフェース（即ち、情報入力の仕組み））である。
【００４６】
端末手段１の表示部１ｅは、パラソルを操作するための操作画面を表示する仕組みであり、具体的には例えばディスプレイである。
【００４７】
入力部１ｄと表示部１ｅとは、一体のものとして構成されるようにしても良く、具体的には例えばタッチパネル式ディスプレイによって構成されるようにしても良い。
【００４８】
端末手段１は、通信部１ｃを通してサーバ２との間でデータ通信を行い、サーバ２から受信したウェブページ表示用のデータによって表示部１ｅにウェブページを表示し、当該ウェブページに対する操作者の操作内容（言い換えると、操作者による入力内容）を入力部１ｄを介して取得してサーバ２へと送信する。
【００４９】
サーバ２は、制御部２ａ，記憶部２ｂ，及び通信部２ｃなどを有する。これら各部２ａ乃至２ｃはバス等の信号回線によって接続される。
【００５０】
サーバ２の制御部２ａは、記憶部２ｂに格納されているプログラムに従ってサーバ２の各構成要素を制御することによってサーバ２全体の制御を行うものであり、例えばＣＰＵ（中央演算処理装置）である。
【００５１】
サーバ２の記憶部２ｂは、具体的には例えばハードディスクによって構成され、プログラムや種々のデータなどを格納して保存する。
【００５２】
記憶部２ｂには、パラソルの操作内容を選択して入力するためのウェブページ（「パラソル操作入力画像１ｗ」と呼ぶ）、及び、パラソルの操作が許可されていないことを表示するためのウェブページ（「操作不許可通知画像」と呼ぶ）に関するデータが格納される。
【００５３】
記憶部２ｂには、さらに、操作対象の屋外設備の操作を行う権限が与えられた端末手段１に関する情報が操作許可端末情報としてデータファイル等の形式で格納される。
【００５４】
なお、或る一つ（一台，一基など）の屋外設備の操作を行う権限が与えられる端末手段１は、一台でも良く、また、複数台でも良い。操作権限が与えられる端末手段１が複数台の場合は、これら複数台の端末手段１に関する情報が操作許可端末情報として列挙（言い換えると、リスト化）されてデータファイル等に記録される。
【００５５】
操作許可端末情報は、屋外設備の操作が許可されている端末手段１に関する、各端末手段１を個別に識別して特定するためのＩＤ情報（即ち、端末手段１それぞれの固有の情報）としての識別子である。
【００５６】
操作許可端末情報として利用される識別子は、特定の種類の情報に限定されるものではなく、各端末手段１を個別に識別し得るものであることなどが考慮された上で、適当なものが適宜選択される。操作許可端末情報として利用される識別子としては、具体的には例えば、あくまで一例としては、端末手段１によるアクセスの際にＵＲＬ（Ｕniform Ｒesource Ｌocator の略）のパラメータから取得されるキー，端末手段１毎のシリアルナンバー，或いは端末手段１毎の個体識別番号（「ＩＭＥＩ（Ｉnternational  Ｍobile  Ｅquipment  Ｉdentity の略）」とも呼ばれる）が挙げられる。
【００５７】
サーバ２の通信部２ｃは、通信網・通信線へと接続するための通信インターフェースであり、無線通信を行う無線モジュールまたは有線通信を行う有線モジュールを備え、ネットワーク９Ａ，９Ｂへと接続して端末手段１やパラソル１０との間でデータ通信を行う。なお、端末手段１との間のデータ通信に利用されるネットワーク９Ａとパラソル１０との間のデータ通信に利用されるネットワーク９Ｂとの通信方式（言い換えると、信号伝送の方式）が異なる場合などには、複数種類のインターフェース／モジュールによって通信部２ｃが構成されるようにしても良い。
【００５８】
サーバ２は、通信部２ｃを通して端末手段１との間でデータ通信を行い、ウェブページ表示用のデータを端末手段１へと送信すると共にウェブページに対する操作者の操作内容（言い換えると、操作者による入力内容）を端末手段１から受信する。
【００５９】
サーバ２は、また、通信部２ｃを通してパラソル１０との間でデータ通信を行い、記憶部２ｂに所定のコントロールファイルが存在するか否かがパラソル１０によって確認される。
【００６０】
上述の端末手段１，サーバ２，及びパラソル１０によって実施される屋外設備の操作方法の手順としては、また、上述の端末手段１，サーバ２，及びパラソル１０を含むものとして構成される屋外設備の操作システムの処理の流れとしては、まず、端末手段１がサーバ２に対してアクセス認証の要求を行う（Ｓ１）。
【００６１】
具体的には、屋外設備を操作しよう（言い換えると、動作させよう）とする者（即ち、操作者）が、所定の操作をして端末手段１においてウェブブラウザを起動し、表示部１ｅに表示されたウェブブラウザを操作してサーバ２へのアクセス認証を要求する。
【００６２】
この際、パラソル１０自体に貼付されるなどしている、操作対象の各設備に対応するものとして準備された（言い換えると、各設備に対応づけられている）例えばＱＲコード（登録商標）のような２次元バーコードが読み取られることによって端末手段１によるサーバ２へのアクセス認証の要求が行われて屋外設備の操作方法の手順や屋外設備の操作システムの処理が開始されるようにしても良い。
【００６３】
ここで、本発明に係る一連の処理では、サーバ２へとアクセスする際の例えばグローバルＩＰアドレスやＵＲＬが操作対象の屋外設備毎に予め割り当てられることなどにより、操作される屋外設備が特定される。
【００６４】
なお、或る一つのグローバルＩＰアドレスやＵＲＬが、一つの屋外設備へと割り当てられるようにしても良く（この場合は、端末手段１による一回の操作によって一つの屋外設備が操作されて動作する）、或いは、複数の屋外設備へと割り当てられるようにしても良い（この場合は、端末手段１による一回の操作によって複数の屋外設備が同時に操作されて動作する）。
【００６５】
サーバ２は、アクセス認証を要求してきた端末手段１について取得された識別子と、記憶部２ｂに格納されている操作許可端末情報に含まれている識別子とが一致するか照合する（Ｓ２）。
【００６６】
そして、アクセス認証を要求してきた端末手段１の識別子が操作許可端末情報に含まれていない場合は（Ｓ２：Ｎｏ）、サーバ２は、例えば「この機器では操作できません」などのメッセージ画面（即ち、記憶部２ｂに格納されている操作不許可通知画像）を通信部２ｃを介して端末手段１へと送信し（Ｓ３）、端末手段１において起動しているウェブブラウザに操作不許可通知画像を表示させる。
【００６７】
端末手段１は、通信部１ｃを介して受信した操作不許可通知画像をウェブブラウザによって表示部１ｅに表示する（Ｓ４）。この場合は、当該の端末手段１ではパラソル１０を操作することはできず、屋外設備の操作方法の手順／屋外設備の操作システムの処理は終了する。
【００６８】
一方、アクセス認証を要求してきた端末手段１の識別子が操作許可端末情報に含まれている場合は（Ｓ２：Ｙｅｓ）、サーバ２は、パラソル操作入力画像１ｗを通信部２ｃを介して端末手段１へと送信し（Ｓ５）、端末手段１において起動しているウェブブラウザにパラソル操作入力画像１ｗを表示させる。
【００６９】
端末手段１は、通信部１ｃを介して受信したパラソル操作入力画像１ｗをウェブブラウザによって表示部１ｅに表示する（Ｓ６）。
【００７０】
パラソル操作入力画像１ｗは、本実施例では、図４に示すように、パラソル１０のシート１０ｆを開く動作を開始するための「開く」ボタン１ｘ，動作中のパラソル１０のシート１０ｆの開く動作または閉じる動作を停止するための「止める」ボタン１ｙ，及びパラソル１０のシート１０ｆを閉じる動作を開始するための「閉じる」ボタン１ｚの三つのコマンドボタンが配置される。
【００７１】
なお、図４は、端末手段１がスマートフォンである場合を想定したときのパラソル操作入力画像１ｗの例であり、表示部１ｅが入力部１ｄと一体のものとして構成されたタッチパネル式ディスプレイである場合の例である。
【００７２】
操作者により、端末手段１の表示部１ｅに表示されているパラソル操作入力画像１ｗにおけるパラソルの操作内容に関する三つの選択肢（言い換えると、ボタン）のうちのいずれか一つが入力部１ｄを介して選択される（Ｓ７）。
【００７３】
入力部１ｄによる選択の処理は、例えば、端末手段１の表示部１ｅがタッチパネル式ディスプレイである場合（例えば図４）には指で触れる（即ち、タッチ入力操作する）ことによって行われたり、端末手段１に接続されているマウスによってカーソルを移動させて指定する（即ち、クリック入力操作する）ことによって行われたりする。
【００７４】
操作者によってパラソル操作入力画像１ｗにおいて選択が行われると、選択の内容に関する情報（具体的には、選択されたボタンの種別を示す信号；「選択内容信号」と呼ぶ）が端末手段１によって通信部１ｃ及びネットワーク９Ａを介してサーバ２へと送信される（Ｓ８）。
【００７５】
サーバ２は、端末手段１から送信された選択内容信号を通信部２ｃを介して受信すると、操作者による選択の内容に対応したコントロールファイル（言い換えると、操作内容制御ファイルであり、本システムの処理ではコマンドのように機能する）を生成して記憶部２ｂに保存する（Ｓ９）。
【００７６】
本実施例では、パラソル１０に対する操作についてシート１０ｆを「開く」，「止める」，及び「閉じる」の三つのうちのいずれかが選択され、各操作内容に対応したコントロールファイルが生成されて保存される。
【００７７】
サーバ２は、受信した選択内容信号の内容が、「開く」の場合には開操作コントロールファイル（開操作コマンド）を生成し、「止める」の場合には停止操作コントロールファイル（停止操作コマンド）を生成し、また、「閉じる」の場合には閉操作コントロールファイル（閉操作コマンド）を生成する。
【００７８】
つまり、操作者が、端末手段１において起動しているウェブブラウザにより、「開く」を選択した場合にはサーバ２の記憶部２ｂに開操作コントロールファイルが保存され、「止める」を選択した場合にはサーバ２の記憶部２ｂに停止操作コントロールファイルが保存され、また、「閉じる」を選択した場合にはサーバ２の記憶部２ｂに閉操作コントロールファイルが保存される。
【００７９】
パラソル１０の制御部１１は、通信部１３及びネットワーク９Ｂを介してサーバ２へと定期的にアクセスし、サーバ２の記憶部２ｂにコントロールファイルが保存されているか否かを継続的に確認する（Ｓ０）。
【００８０】
パラソル１０の制御部１１がサーバ２へとアクセスする間隔は、特定の時間長さに限定されるものではないものの、例えば１秒や２秒程度の比較的短い時間長さに設定されることが好ましい。
【００８１】
そして、パラソル１０の制御部１１は、サーバ２の記憶部２ｂにコントロールファイルが保存されている場合には、そのコントロールファイルの種別（言い換えると、操作者による選択の内容に対応したコマンドの内容）を確認する（Ｓ１０）。
【００８２】
ここで、パラソル１０の制御部１１は、サーバ２の記憶部２ｂにコントロールファイルが保存されていることが確認された時から後述のＳ１３の処理が終了する時まで、サーバ２への定期的なアクセスによる記憶部２ｂにおけるコントロールファイルの保存の有無の確認の処理（Ｓ０）を中断する。
【００８３】
パラソル１０の制御部１１は、開閉機構１２に対し、サーバ２の記憶部２ｂに保存されているコントロールファイルが、開操作コントロールファイルである場合には巻き取り回転を行う指令（言い換えると、制御信号）を出力し、停止操作コントロールファイルである場合には巻き取り回転や繰り出し回転を停止する指令を出力し、また、閉操作コントロールファイルである場合には繰り出し回転を行う指令を出力する（Ｓ１１）。
【００８４】
開閉機構１２は、制御部１１から出力されて入力された指令（制御信号）に従って電動モータ１２ｂの動作を制御して巻き取り器１２ａを操作し、ワイヤーを巻き取ったり、ワイヤーの巻き取りや繰り出しを停止したり、ワイヤーを繰り出したりする（Ｓ１２）。
【００８５】
開閉機構１２へと入力された指令（制御信号）が巻き取り回転を行う指令である場合には、電動モータ１２ｂが駆動を開始し、巻き取り器１２ａが巻き取り回転してワイヤーが巻き取られランナー１０ｄが上昇してパラソル１０のシート１０ｆが次第に開き、ランナー１０ｄが支柱１０ｂの上側のリミッタスイッチに触れると電動モータ１２ｂの駆動が自動的に停止する。
【００８６】
一方、開閉機構１２へと入力された指令（制御信号）が繰り出し回転を行う指令である場合には、電動モータ１２ｂが駆動を開始し、巻き取り器１２ａが繰り出し回転してワイヤーが繰り出されランナー１０ｄが下降してパラソル１０のシート１０ｆが次第に閉じ、ランナー１０ｄが支柱１０ｂの下側のリミッタスイッチに触れると電動モータ１２ｂの駆動が自動的に停止する。
【００８７】
また、開閉機構１２へと入力された指令（制御信号）が回転を停止する指令である場合には、電動モータ１２ｂが駆動を停止し、巻き取り器１２ａが回転を停止してワイヤーの巻き取りや繰り出しが停止しランナー１０ｄが停止し、パラソル１０のシート１０ｆの開く動作や閉じる動作が停止する。
【００８８】
パラソル１０の制御部１１は、開閉機構１２へと指令を出力（Ｓ１２）した後、所定の間隔で行うサーバ２の記憶部２ｂにコントロールファイルが保存されているか否かの確認（Ｓ０）を行う前に、サーバ２の制御部２ａに対してコントロールファイルの削除指令を送信してサーバ２自身によって記憶部２ｂに保存されているコントロールファイルを削除させるか、或いは、サーバ２の記憶部２ｂに対する処理権限を有する場合には記憶部２ｂに保存されているコントロールファイルを削除する（Ｓ１３）。
【００８９】
そして、パラソル１０の制御部１１は、サーバ２への定期的なアクセスによる記憶部２ｂにおけるコントロールファイルの保存の有無の確認（Ｓ０）を再開する。
【００９０】
ここで、上述した本発明に係る構成のうち、サーバ２に纏わる構成・処理は、言い換えると、サーバ２の機能は、クラウドプラットフォームの一つである「Ｍｉｃｒｏｓｏｆｔ（登録商標）  Ａｚｕｒｅ」が利用されることによって構築されるようにしても良い。この場合は、例えば、サーバ２の制御部２ａに相当する機能が「Ｃｏｍｐｕｔｅ」によって実現され、サーバ２の記憶部２ｂに相当する機能が「Ｓｔｏｒａｇｅ」によって実現されるようにすることが考えられる。
【００９１】
以上のように構成された屋外設備の操作方法及び操作システムによれば、専用のリモコン送信器を用いることなく、パラソル１０を操作することができるので、屋外設備の操作の機序としての汎用性の向上を図ることが可能になる。
【００９２】
以上のように構成された屋外設備の操作方法及び操作システムによれば、また、端末手段１とパラソル１０との位置関係（特に、距離）に関係なく、パラソル１０を操作することができるので、近接でも遠隔でも操作することができ、利便性の向上を図ることが可能になる。
【００９３】
以上のように構成された屋外設備の操作方法及び操作システムによれば、さらに、汎用的なウェブブラウザが用いられて操作・処理が行われ、すなわち専用のアプリケーションが必要とされないので、専用のアプリケーションをインストールする手間が不要であり、また、専用のアプリケーションが不要である点において汎用性が高い。
【００９４】
なお、上述の実施形態は本発明を実施する際の好適な形態の一例ではあるものの本発明の実施の形態が上述のものに限定されるものではなく、本発明の要旨を逸脱しない範囲において本発明は種々変形実施可能である。
【００９５】
例えば、上述の実施形態では本発明に係る屋外設備の操作方法が適用された屋外設備の操作システムによって操作される屋外設備として図５に示すパラソルを例に挙げたが、本発明が対象とし得る屋外設備は、図５に示すパラソルに限られるものではなく、他の態様のパラソルでも良く、さらに言えば、パラソル以外の屋外設備でも良い。本発明が対象とし得る屋外設備として、具体的には例えば、あくまで一例としては、屋外に設置されるオーニング（例えば、シートの開閉動作が操作される），門扉（例えば、扉の開閉動作が操作される）などが挙げられる。
【００９６】
また、上述の実施形態ではＳ１乃至Ｓ４の処理として端末手段１のアクセス認証が行われるようにしているが、本発明において端末手段１のアクセス認証は必須の処理ではなく、端末手段１においてウェブブラウザが起動されてサーバ２へとアクセスされた場合には端末手段１のアクセス認証を行うこと無くパラソル操作入力画像１ｗが送信されてＳ５以降の処理が行われるようにしても良い。
【００９７】
また、上述の実施形態では或る一つのグローバルＩＰアドレスやＵＲＬが複数の屋外設備へと割り当てられるようにした場合は端末手段１による一回の操作によって複数の屋外設備が同時に操作されて動作するものとして説明したが、この構成に限られるものではなく、上述の実施形態における例えばＳ５の処理の前に、複数の屋外設備の中から実際に操作する屋外設備が選択される処理が行われるようにしても良い。
【００９８】
また、上述の実施形態ではパラソル１０の制御部１１と開閉機構１２とはバス等の信号回線によって接続されるようにしているが、この構成に限られるものではなく、パラソル１０の制御部１１から開閉機構１２への制御信号の伝送の機序として赤外線通信が用いられるようにしても良い。
【００９９】
また、上述の実施形態では触れられていないが、上述の実施形態におけるＳ９の処理の後に、パラソル１０に対する操作について「開く」，「止める」，及び「閉じる」のうちのいずれが選択されたかが、例えばログファイルに記録されてサーバ２の記憶部２ｂに記憶されるようにしても良い。この場合は、Ｓ２の処理において端末手段１の識別子が操作許可端末情報に含まれている場合（Ｓ２：Ｙｅｓ）に前記ログファイルの記録のうち最終更新日時の操作情報を取得することにより、パラソル１０に対して最後に行った操作からパラソル１０の開閉に関する現在の状態が確認され得る。これにより、例えばパラソル操作入力画像１ｗの中に、パラソル１０の開閉に関する現在の状態（具体的には例えば、「開いている」，「閉じている」，又は「半開きである」）を表示させることができるようになる。
【符号の説明】
【０１００】
１    端末手段
１ａ  制御部
１ｂ  記憶部
１ｃ  通信部
１ｄ  入力部
１ｅ  表示部
２    サーバ
２ａ  制御部
２ｂ  記憶部
２ｃ  通信部
９Ａ  ネットワーク
９Ｂ  ネットワーク
１０    パラソル
１０ａ  台座
１０ｂ  支柱
１０ｃ  親骨
１０ｄ  ランナー
１０ｅ  受骨
１０ｆ  シート
１１    制御部
１２    開閉機構
１２ａ  巻き取り器
１２ｂ  電動モータ
１３    通信部
【図１Ａ】
2018153575.tif 000003
【図１Ｂ】
2018153575.tif 000004
【図２】
2018153575.tif 000005
【図３】
2018153575.tif 000006
【図４】
2018153575.tif 000007
【図５】
2018153575.tif 000008